(57)【要約】【課題】  全品質等級のモーターオイルをワークショップや家のガレージで安全に送出し貯蔵するために使用される容器及び供給分配装置に関する。【解決手段】  安全かつ効率的に全品質等級のモーターオイルを貯蔵する液体貯蔵供給分配装置を提供する。この装置は、モーターオイルを正確に車体内に供給分配するよう構成される。この装置は、また他の液体を貯蔵し供給分配するためにも使用することができる。
2019519444.tif 000002
【特許請求の範囲】
【請求項１】
液体が供給される開口端を備える容器と、 
前記容器に連結する注入機構と、 
前記容器又は前記注入機構に解放可能に係合する液体貯蔵器と、
から構成される液体供給分配装置であって、
前記注入機構を作動させることにより、所定量の液体を前記容器から前記液体貯蔵器に放出する液体供給分配装置。
【請求項２】
前記注入機構は、カップ機構を備え、前記カップ機構は、前記カップの底面を形成する第一領域と、前記カップの縁部を形成する第二領域とからなり、前記カップ機構は、多量の液体を含み、前記容器の開口端は、前記カップ機構の前記第一領域の前記多量の液体内に水没させて配置することができ、静水圧型密封を形成する請求項１に記載の液体分配装置。
【請求項３】
前記カップ機構の前記第一領域は、前記容器の開口端が取り除かれたら、多量の液体を貯蔵する請求項２に記載の液体供給分配装置。
【請求項４】
前記カップ機構には、前記容器開口端が前記注入機構に挿入されると、穿孔可能な膜部を突き刺すための穿刺部材が前記カップ機構の中心に設けられる請求項２又は請求項３に記載の液体供給分配装置。
【請求項５】
ユーザにより所定の液体注入量が設定される請求項１から請求項４のいずれか一項に記載の液体供給分配装置。
【請求項６】
前記注入機構は前記容器の開口端に接続され、前記容器の開口端は穿孔可能な膜部からなり、前記注入機構は、前記容器に接続されたら、前記穿孔可能な膜部を突き刺す請求項１から請求項５のいずれか一項に記載の液体供給分配装置。
【請求項７】
前記容器は、押しつぶし可能な液体貯蔵器からなる請求項１から請求項６のいずれか一項に記載の液体供給分配装置。
【請求項８】
前記容器は円筒形状である請求項１から請求項７のいずれか一項に記載の液体供給分配装置。
【請求項９】
前記容器は円錐形状である請求項１から請求項７のいずれか一項に記載の液体供給分配装置。
【請求項１０】
前記容器は、少なくとも１のハンドルからなる請求項１から請求項９のいずれか一項に記載の液体供給分配装置。
【請求項１１】
前記容器は、組込式測定インジケータからなる請求項１から請求項１０のいずれか一項に記載の液体供給分配装置。
【請求項１２】
前記注入機構は、非回転式スイッチからなる請求項１から請求項１１のいずれか一項に記載の液体供給分配装置。
【請求項１３】
前記注入機構は、回転式スイッチからなる請求項１から請求項１１のいずれか一項に記載の液体供給分配装置。
【請求項１４】
前記スイッチは、第一ポジション及び第二ポジションを有するよう構成される請求項１２又は請求項１３に記載の液体供給分配装置。
【請求項１５】
前記第一ポジションでは、前記スイッチは、前記液体が前記液体貯蔵器に流入するのを防ぐよう構成され、前記第二ポジションでは、前記スイッチは、前記液体が前記液体貯蔵器に流入することが可能なよう構成される請求項１４に記載の液体供給分配装置。
【請求項１６】
前記スイッチは、第一作動により前記液体の前記液体貯蔵器への流入を開始させ、第二作動により前記液体貯蔵器への流入を止めるよう構成される請求項１２又は請求項１３に記載の液体供給分配装置。
【請求項１７】
前記スイッチは、前記第二ポジションに保持されるときのみ、前記液体が供給分配されるよう構成される請求項１４に記載の液体供給分配装置。
【請求項１８】
前記スイッチは、押しボタン式、ロッカースイッチ式、スライドスイッチ式のうちの一つである請求項１２に記載の液体供給分配装置。
【請求項１９】
前記注入機構は、キーパッド、タッチセンサー式スクリーン、ダイヤル、又はロック機構のうちの一つからなる請求項１から請求項１１のうちのいずれか一項に記載の液体供給分配装置。
【請求項２０】
前記注入機構は、前記容器と前記液体貯蔵器との間に配置されるバルブからなり、前記スイッチを駆動することにより該バルブを作動させる請求項１０から請求項１９のうちいずれか一項に記載の液体供給分配装置。
【請求項２１】
前記容器、前記注入機構のタンク、及び／又は前記液体貯蔵器は、撥油性材料から製造される請求項１から請求項２０のうちのいずれか一項に記載の液体供給分配装置。
【請求項２２】
前記液体はモーター潤滑油である請求項１から請求項２１のうちいずれか一項に記載の液体供給分配装置。
【請求項２３】
前記容器は、その内部に供給される液体の種類を示す第一コード機構からなり、前記注入機構は第二コード機構からなり、前記液体貯蔵器は第三コード機構からなり、前記第一コード機構、前記第二コード機構、前記第三コード機構は適合する請求項１から請求項２１のうちいずれか一項に記載の液体供給分配装置。
【請求項２４】
請求項１から請求項２３のうちいずれか一項に記載の液体供給分配装置を使用する液体供給分配方法。
【請求項２５】
液体が供給される開口端を備える容器と、
前記容器に連結する注入機構と、からなる液体供給分配装置であって、
前記注入機構にカップ機構が備えられ、前記カップ機構は、底面を形成する第一領域と、縁部を形成する第二領域とからなり、前記カップ機構は多量の液体を含み、前記容器の開口端は前記カップ機構の第一領域の前記多量の液体内に水没させて配置することができ、静水圧型密封を形成する液体供給分配装置。
【請求項２６】
前記カップ機構の前記第一領域は、前記容器の開口端が取り外されたら、多量の液体を貯蔵する請求項２５に記載の液体供給分配装置。
【請求項２７】
前記カップ機構には、前記容器開口端が前記注入機構に挿入されると、穿孔可能な膜部を突き刺すための穿刺部材が前記カップ機構の中心に設けられる請求項２５又は請求項２６に記載の液体供給分配装置。
【発明の詳細な説明】
【技術分野】
【０００１】
本開示は、全品質等級のモーターオイルをワークショップや家のガレージで安全に送出し貯蔵するために使用される容器及び供給分配装置に関する。本開示は、安全に、正確に及び素早く、モーターオイルを車のエンジンに供給分配する装置にも関する。
【背景技術】
【０００２】
関連出願の相互参照
本出願は、２０１６年６月２４日に出願された米国仮特許出願番号６２／３５４，３９４と２０１６年１２月９日に出願された米国仮特許出願番号６２／４３１，９３９を基礎として優先権主張した出願であり、当該出願に記載されたすべての記載を援用する。
【０００３】
モーターオイルを貯蔵し供給分配する現在の装置は、ガレージ環境の厳しさに耐えるほど障害が起こった場合に回復力のあるものではない。これらの装置は、また十分に再生利用可能なものではなく、二次汚染を引き起こし、ユーザが完全にオイルを容器から空にできるものではなく、また、ピッチャーにオイルを正確に供給分配できるものではない。現在の装置では、残留している液体量を正確には測定できないため、生来的に根本的な誤りを引き起こすものとなっている。
【０００４】
現在の装置は、Ｃａｓｔｒｏｌ（登録商標）ｅｎｖｉｒｏ−Ｐａｃｋ（ｅＰａｃｋ）装置及び“Ｂａｇ  ｉｎ  ａ  Ｂｏｘ”製品を含むものである。この“Ｂａｇ  ｉｎ  ａ  Ｂｏｘ”装置は、バッグに使用されるフィルムが再生利用可能なものでないため、十分に再生利用可能なものではない。“Ｂａｇ  ｉｎ  ａ  Ｂｏｘ”装置では、過去に同様の液体が使用されたか否かに関わらず、ユーザが好みの注入装置（たとえば、ピッチャー）を使用することができるため、それ自体が液体の二次汚染を引き起こすことにもなる。また、この“Ｂａｇ  ｉｎ  ａ  Ｂｏｘ”装置では、バッグにいくらかのオイルが残るため、ユーザが完全に容器のモーターオイルを空にできるわけではない。
【０００５】
このように、モーターオイルなどの液体を貯蔵し正確に供給分配する十分に再生利用可能な装置が必要とされている。この装置には、また、液体の二次汚染を防ぐための手段が必要である。さらには、この装置及び使用方法は、人間工学的に考えてユーザに分かり易いものである必要がある。
【発明の概要】
【０００６】
一態様として、液体供給分配装置が開示される。液体が供給される開口端を備える容器と、前記容器に連結する注入機構と、前記容器又は前記注入機構に解放可能に係合する液体貯蔵器と、から構成される液体供給分配装置であって、前記注入機構を作動させることにより、所定量の液体を前記容器から前記液体貯蔵器に放出する液体供給分配装置である。
【０００７】
別の態様として、前記注入機構は、カップ機構を備え、該カップ機構は、底面を形成する第一領域と、縁部を形成する第二領域とからなり、前記カップ機構は、多量の液体を含み、前記容器の開口端は、前記カップ機構の前記第一領域の前記多量の液体内に水没させて配置することができ、静水圧型密封を形成する液体供給分配装置を開示する。
【０００８】
別の態様として、前記カップ機構の前記第一領域は、前記容器の開口端が取り除かれたら、多量の液体を貯蔵する液体供給分配装置を開示する。
【０００９】
別の態様として、前記カップ機構には、前記容器開口端が前記注入機構に挿入されると、穿孔可能な膜部を突き刺すための穿刺部材が前記カップ機構の中心に設けられる液体供給分配装置を開示する。
【００１０】
別の態様として、所定の液体量は定量であり、該定量の液体は前記注入機構により設定される液体供給分配装置を開示する。
【００１１】
別の態様として、ユーザにより所定の液体注入量が設定される液体供給分配装置を開示する。
【００１２】
別の態様として、前記注入機構は前記容器の開口端に接続され、前記容器の開口端は穿孔可能な膜部からなり、前記注入機構は、前記容器に接続されたら、前記穿孔可能な膜部を突き刺す液体供給分配装置を開示する。
【００１３】
別の態様として、前記容器は、押しつぶし可能な液体貯蔵器からなる液体供給分配装置を開示する。
【００１４】
別の態様として、前記容器は縦長である液体供給分配装置を開示する。
【００１５】
別の態様として、前記容器は円錐形状である液体供給分配装置を開示する。
【００１６】
別の態様として、前記容器は、少なくとも１のハンドルからなる液体供給分配装置を開示する。
【００１７】
別の態様として、前記容器は、組込式測定インジケータからなる液体供給分配装置を開示する。
【００１８】
別の態様として、前記注入機構は、非回転式スイッチからなる液体供給分配装置を開示する。
【００１９】
別の態様として、前記注入機構は、回転式スイッチからなる液体供給分配装置を開示する。
【００２０】
別の態様として、前記スイッチは、第一ポジション及び第二ポジションを有するよう構成される液体供給分配装置を開示する。
【００２１】
別の態様として、前記第一ポジションでは、前記スイッチは、前記液体が前記液体貯蔵器に流入するのを防ぐよう構成され、前記第二ポジションでは、前記スイッチは、前記液体が前記液体貯蔵器に流入することが可能なよう構成される液体供給分配装置を開示する。
【００２２】
別の態様として、前記スイッチは、第一作動により前記液体の前記液体貯蔵器への流入を開始させ、第二作動により前記液体貯蔵器への流入を止めるよう構成される液体供給分配装置を開示する。
【００２３】
別の態様として、前記スイッチは、前記第二ポジションに保持されるときのみ、前記液体が供給分配されるよう構成される液体供給分配装置を開示する。
【００２４】
別の態様として、前記スイッチは、押しボタン式、ロッカースイッチ式、スライドスイッチ式である液体供給分配装置を開示する。
【００２５】
別の態様として、前記注入機構は、キーパッド、タッチセンサー式スクリーン、ダイヤル、又はロック機構のうちの一つからなる液体供給分配装置を開示する。
【００２６】
別の態様として、前記注入機構は、前記容器と前記液体貯蔵器との間に配置されるバルブからなり、前記スイッチを駆動することにより該バルブを作動させる液体供給分配装置を開示する。
【００２７】
別の態様として、前記容器、及び／又は前記液体貯蔵器は、撥油性材料から製造される液体供給分配装置を開示する。
【００２８】
別の態様として、前記液体はモーター潤滑油である液体供給分配装置を開示する。
【００２９】
別の態様として、前記容器は、その内部に供給される液体の種類を示す第一コード機構からなり、前記注入機構は第二コード機構からなり、前記液体貯蔵器は第三コード機構からなり、前記第一コード機構、前記第二コード機構、前記第三コード機構は適合する液体供給分配装置を開示する。
【００３０】
別の態様として、液体供給分配装置を使用する液体供給分配方法を提供する。
【００３１】
別の態様として、液体が供給される開口端を備える容器と、前記容器に連結する注入機構と、からなる液体供給分配装置であって、前記注入機構にカップ機構が備えられ、該カップ機構は、底面を形成する第一領域と、縁部を形成する第二領域とからなり、前記カップ機構は多量の液体を含み、前記容器の開口端は前記カップ機構の第一領域の前記多量の液体内に水没させて配置することができ、静水圧型密封を形成する液体供給分配装置を開示する。
【００３２】
別の態様として、前記カップ機構の前記第一領域は、前記容器の開口端が取り外されたら、多量の液体を貯蔵する液体供給分配装置を開示する。
【００３３】
別の態様として、前記カップ機構には、前記容器開口端が前記注入機構に挿入されると、穿孔可能な膜部を突き刺すための穿刺部材が前記カップ機構の中心に設けられる液体供給分配装置を開示する。
【図面の簡単な説明】
【００３４】
添付図面は、本開示の理解をさらに深めるためのものであり、本明細書の一部に組み込まれ、実施例を示し、詳細な説明とともに本発明の趣旨を説明するものである。本発明や本発明が実践される多様な様式を基本的に理解するために必要であるからこそ、本発明の構造細部を示すものである。
【００３５】
【図１Ａ】図１Ａは、実施例に従い、本開示の装置を詳細に示す。
【００３６】
【図１Ｂ】図１Ｂは、実施例に従い、注入機構及び液体貯蔵器を示す。
【００３７】
【図１Ｃ】図１Ｃは、実施例に従い、静水圧型密封を生成するためカップを配置した様子を示す。
【００３８】
【図２Ａ】図２Ａは、実施例に従い、本開示の装置を示す。
【００３９】
【図２Ｂ】図２Ｂは、実施例に従い、容器を示す。
【００４０】
【図２Ｃ】図２Ｃは、実施例に従い、オーバーキャップ及びメインブレイン（膜部）アッセンブリを示す。
【００４１】
【図２Ｄ】図２Ｄは、実施例に従い、容器を示す。
【００４２】
【図２Ｅ】図２Ｅは、実施例に従い、注入機構を示す。
【００４３】
【図２Ｆ】図２Ｆは、実施例に従い、ポールに取り付けられる注入機構を示す。
【００４４】
【図２Ｇ】図２Ｇは、実施例に従い、バルブ解放トリガー付きの液体貯蔵器を示す。
【００４５】
【図３】図３は、実施例に従い、液体供給分配方法を示す。
【発明を実施するための形態】
【００４６】
Ｉ．序論
モーター潤滑油などの液体を包装／貯蔵し供給分配する装置及び方法がここに記載される。特に、実施例は、容器、注入機構、及び液体貯蔵器からなる装置に関するものである。この装置は、液体貯蔵器が重力的に満たされるように垂直に配置することができる。この装置は、再利用可能（すなわち、詰め替え可能）、又は、使い捨てとすることができる。
【００４７】
本開示は、十分に再利用可能で、コード機構又はラベルを使用して、二次汚染の問題を取り除けるので、現在のモーター潤滑油供給分配装置に比べて利点があり、ユーザは容器内のモーターオイルを完全に空にできる。本装置は、人間工学的見地から見て分かり易いものでもある。
【００４８】
詳細に記載される実施形態において、図１Ａに見られるように、液体供給分配装置１００は、容器１０２と、注入機構１０４と、液体貯蔵器１０６とから構成することができる。容器１００は、容器１０２の底面に位置する少なくとも１の開口端１０８から構成することができる。開口端１０８は、膜部（メインブレイン）又は他の穿孔可能なカバーにより、あるいは、取り外し可能な又は再利用できるキャップあるいはカバーにより覆うことができる。モーターオイルなどの液体は容器１０２内に供給することができる。液体供給分配装置１００は、トランスミッション液、ブレーキ液や他の補助的な自動車液体のような他の液体を貯蔵し供給分配するために使用することもできる。注入機構１０４は、解放可能に容器１０２に接続することができる。一実施例では、注入機構１０４は開口端１０８で容器に接続する。容器１０２は、注入機構１０４に嵌め込むことができ、注入機構１０４は、容器１０２の開口端１０８で膜部を突き刺すことができる。開口端１０８は頸状部から構成することができ、容器１０２は頸状部で取り外し可能な状態で定位置にロックすることができる。注入機構１０４は、容器１０２を取り外すために解放することもできる。注入機構１０４は、容器１０２から一定量の液体を供給分配するよう構成することができる。このようにして、液体貯蔵器１０６は、液体を望ましい場所に供給分配するよう、例えば、モーターオイルを車体内に供給分配するよう、ユーザにより取り外すことができる。注入機構１０４は、一定量の液体を液体貯蔵器１０６に供給することができる。注入機構１０４が定位置にあるときにのみ、液体は容器１０２から液体貯蔵器１０６に供給分配される。液体貯蔵器１０６は、どの程度の液体が内部に含まれるかを特定するために液体レベルインジケータを包含することができる。実際に、ユーザは、望ましい量の液体で液体貯蔵器１０６を満たしたあと、完全に全量の液体を空にすることになる。別の実施例では、ユーザは、貯蔵器の全体量よりも少ない量を外に出すことができる。
【００４９】
一実施例において、図１Ｂに示すように、容器１０２は、第一コード機構１１０から構成することができる。注入機構１０４もまた第二コード機構１１２から構成し、液体貯蔵器１０６は第三コード機構１１４から構成することができる。コード機構１１０、１１２、及び１１４は、液体の種類を示すラベルとすることができる。これらのラベルが適合する状態でのみ、容器１０２、注入機構１０４、及び液体貯蔵器１０６を使用するよう指導されるユーザのお陰で、これらのラベルは二次汚染回避に役立てることができる。コード機構又はラベルは、特有のカラー及びテキストを含めることができる。別の実施例では、コード機構又はラベルは点字とすることができる。
【００５０】
容器１０２は、中空成形であって環境保全型液体貯蔵器のような、中空成形で押しつぶし可能な液体貯蔵器から構成することができる。別の実施例では、容器１０２は、突き出した成形とすることができる。容器１０２は、細長、円筒、円錐、又は正方形など、液体を保持することができるならばいずれの形であってもよい。容器１０２は、少なくとも１のハンドルから構成することができる。ハンドルは、容器１０２の側面又は一番上に配置することができる。容器１０２は、組込式測定インジケータから構成することもできる。組込式測定インジケータは、容器外側に設けることができる。
【００５１】
一実施例では、液体貯蔵器１０６はトリガー及びバルブから構成することができる。トリガーはバルブを開閉するよう構成することができる。他の実施例では、液体貯蔵器１０６は、手動バルブから構成することができる。液体貯蔵器１０６は、組込式測定インジケータから構成することもできる。組込式測定インジケータは、容器外側に備えることができる。
【００５２】
液体貯蔵器１０６は、注入機構１０４にぶら下がった状態で取り付けることができ、これは、液体貯蔵器１０６が壁又は他の支持部に取り付けられないことを意味する。注入機構１０４は、注入機構１０４を壁に設置する、又は他の注入機構に取り付けてポール上を回転させることを可能にする壁取付けブラケットから構成することができる。この構成により、液体貯蔵器１０６を浮遊状態で取り付けることができる。
【００５３】
注入機構１０４は、一定量の液体を液体貯蔵器１０６に供給分配するための供給分配ダイヤルから構成することができる。供給分配ダイヤルは手動式供給分配ダイヤル又は計量式供給分配ダイヤルとすることができる。
【００５４】
一実施例では、容器１０２、注入機構１０４のタンク、及び／又は液体貯蔵器１０６は、高密度ポリエチレンのような天然撥油性材料などの撥油性材料から製造することができる。別の実施例では、容器１０２、注入機構１０４のタンク、及び／又は液体貯蔵器１０６は、例えば、ＬｉｑｕｉＧｌｉｄｅ（商標）などの非粘着表面処理を内部にコーティングする、又は技術公知である別のコーティングをすることができる。
【００５５】
図１Ｃで示すように、様々なバルブ機構を使用して、一旦注入機構１０４に接続すると、液体を容器１０２内に留めるようにするとよい。通常、使用時には、容器１０２は、注入機構１０４に垂直配置される開口端１０８に対して略垂直に配置されることで、液体を重力に従い流すことができる（図１Ｃにおいて破線で示される）。代替的には、ポンプ機構を使用することで、圧力を容器１０２内に生み出し、液体を開口端１０８外部へ強制的に流し出すようにすることができる。特に有利なメカニズムが、静水圧型密封を十分に引き出すことができるので、容器１０２内に液体を維持できる。
【００５６】
静水圧は、開口端１０８に対する容器１０２内の液体の重みにより発生する全圧力である。供給分配の間、液体の体積が減少するにつれ、容器１０２内の液体の重みの減少により静水圧は大きくなる。静水圧型密封を生成するために、注入機構に、容器１０２の開口端１０８を挿入したカップ機構１１６が設けられる。上述したとおり、開口端１０８に穿孔可能な膜部又は他のカバーを設けることができ、使用前に液体を容器１０２内に保持する。容器１０２の開口端１０８が注入機構１０４に挿入されたら穿孔可能な膜部を突き刺せるよう、穿刺部材１１８がカップ機構１１６の中心に設けられる。カップ機構１１６は、カップ機構１１６の底部を形成する第一領域１２０と、カップ機構１１６の縁部を形成する第二領域１２２とからなる。液体１２４の体積、例えば、７オンス（２００ｍｌ）が、カップ機構１１６の第一領域１２０内に保持される。容器１０２の開口端１０８は、カップの第一領域の液体体積内に水没する形で配置することができ、静水圧型密封を形成する。カップ機構１１６の第一領域１２０は、容器１０２の開口端１０８が取り除かれると多量の液体を保持する。
【００５７】
使用する際、一旦容器１０２の開口端１０８の穿孔可能な膜部を突き刺し、容器１０２を完全に注入機構１０４に嵌め込むと、容器１０２の開口端１０８が液体１２４の表面１２６下に水没する。これにより、容器１０２の開口端１０８の水没と相まって液体の静水圧が静水圧型密封を生み出すため、容器１０２内の液体が外に漏れ出ないことが確実となる。使用時に液体が容器１０２の外に流出すると、静水圧が減少するだけでなく、容器が押しつぶし可能な液体貯蔵器からなる場合には、容器１０２は折れ始めて壊れる可能性があるため、廃棄及び／又は再生利用のためにいつでも注入機構１０４から除去する準備を整えておく必要がある。注入ユニットに容器１０２を抜き差しすると、少量の液体（容器１０２に更なる静水圧型密封を形成するには十分な）がカップ機構１１６に残る。
【００５８】
ＩＩ．装置例
液体供給分配装置の構造例が図２Ａ−Ｇに示される。
【００５９】
図２Ａ−Ｇに示すように、液体供給分配装置２００は、容器２０２と、注入機構２０４と、液体貯蔵器２０６とから構成することができる。いくつかの実施例では、液体供給分配装置２００は、複数の容器２００と、注入機構２０４と、複数の液体貯蔵器２０６とから構成することができる。注入機構２０４は、複数の容器２００と複数の液体貯蔵器２０６とを解放可能に接続することができる。例えば、液体供給分配装置２００は、４つの容器２００と、４つの容器を嵌め込む４つのキャビティ付き注入機構２０４と、４つの液体貯蔵器２０６とから構成することができる。また、複数の液体供給分配装置２００を提供することができる。容器２０２は重さが軽く、押しつぶし可能な液体貯蔵器２１４とすることができる（図２Ｂ参照）。容器２０２は、複数のハンドル２１２を有する開口端２０８を備えた、背が高く、垂直で、細長いものとすることができる。開口端２０８は、頸状部２０９の先端に配置することができる。頸状部２０９は、上部２０９ａと底部２０９ｂとから構成することができる。底部２０９ｂは、容器２０２と注入機構２０４を解放可能なように接続するためネジ状とすることができる。図２Ｃは、容器２０２が注入機構２０４に接続される前の、底部２０９ｂに螺合されるキャップ又はオーバーキャップ２１０を示す。底部２０９ｂは、穿孔可能な膜部２１１を含むこともできる。
【００６０】
押しつぶし可能な液体貯蔵器２１４にどの程度液体があるか測定するために、容器２０２に組込式測定インジケータ２１３を含めることができる（図２Ｄ参照）。いくつかの実施例では、図２Ｄに示すように、組込式測定インジケータ２１３は、複数ハンドル２１２のうち少なくとも１つに配置する。容器２０２は、オイルの種類及び重さを示すラベルを含むこともできる。コード機構又はラベルは、特有のカラー及びテキストを含むことができる。他の実施例では、コード機構又はラベルは点字とすることができる。
注入機構２０４の例は図２Ｅに示す。注入機構２０４は、容器２０２の開口端２０８に取り付けることができる。注入機構２０４は、容器２０２の穿孔可能な膜部２１１を突き刺すための穿刺部材２１７を含むことができる。注入機構２０４は、一定量の液体を液体貯蔵器２０６に供給分配するスイッチ２１６を含むことができる。この例では、スイッチ２１６は非回転式である。スイッチ２１６は、第一ポジションと第二ポジションを有するよう構成される。これにより、プッシュボタンを使用する場合、第一ポジションではプッシュボタンが押されない又は非駆動状態であって、第二ポジションではプッシュボタンが押される又は駆動状態であるようにすることができる。第一ポジションでは、スイッチ２１６は、液体が液体貯蔵器２１６に流入するのを防ぐよう構成することができ、第二ポジジョンでは、液体が液体貯蔵器２０６に流入することが可能なよう構成することができる。代替的に、他の例では、スイッチ２１６は、第一作動により液体の液体貯蔵器２０６への流入を開始させ、第二作動により液体貯蔵器２０６への流入を止めるよう構成される。プッシュボタンでは、プッシュボタンを駆動位置までプッシュし、駆動位置でプッシュボタンを下げた状態を維持し、的確な量の液体が得られるまでその状態を維持するが、非駆動位置まで来てプッシュボタンを離して液体流入を止めるが、それと同等である。それ故、この例では、スイッチ２１６が第二ポジションに保持されるときのみ、液体を供給分配するようスイッチ２１６を構成する。プッシュボタンは、押しボタン式、ロッカースイッチ式、スライドスイッチ式のうちの一つとするとよい。更なる例では、注入機構２０４は、容器２０２と液体貯蔵器２０６との間に配置されるバルブ２２８から構成することができ、スイッチ２１６を駆動するとバルブ２２８が作動するようにする。スイッチ２１６は、押しボタン式、ロッカースイッチ式、スライドスイッチ式のうちの一つとするとよく、上記例で使用されるプッシュボタンは簡単にロッカースイッチ又はスライドスイッチに置き換えることができる。スイッチを設けるために他のメカニズムを使用することができる。例えば、スイッチは回転式とすることもできる。スイッチを回転させたりひねったりすることで、供給分配が起こる。更に又は代替的に、上記の計量式ダイヤル注入機構の代わりに、注入機構は、キーパッド、タッチセンサー式スクリーン、ダイヤル、又はロック及びキー機構のうちの一つを含むものとすることもできる。上述したように、コード機構も使用することができる。容器２０２は、内部に供給される液体の種類を示す第一コード機構を備え、注入機構２０４は第二コード機構を備え、液体貯蔵器２０６は第三コード機構を備え、第一コード機構、第二コード機構及び第三コード機構は適合する。
【００６１】
いくつかの例では、オーバーフロー装置２３０が注入機構２０４に設けられる。穿孔可能な膜部２１１を穿刺部材２１７で突き刺すと、注入機構２０４と容器２０２との間に静水圧型密封が生成される。時間が経過すると、いくらかの液体が静水圧型密封から漏れ出て、供給分配機構２０４から抜け出るため補正が必要となる。これは、互いに同心状にある外部カップ２３２と内部カップ２３４を備えることで、行われるが、オーバーフロー液がまず内部カップ２３４を満たし、その後外部カップ２３２に溢れ出るようにする。液体が抜け出るのを補正し、装置２００を扱うユーザの手を超えて溢れ出たり、床や液体貯蔵器２０６を超えて溢れ出たりしないことを確実なものとするため、オーバーフローパイプ２３６が外部カップ２３２の底部から下のバルブ２２８まで設けられており、液体は液体貯蔵器２０６に直接流入することができる。
【００６２】
注入機構２０４は、また壁取付けブラケット２１８を含むことができる。壁取付けブラケット２１８により容器２０２及び／又は液体貯蔵器２０６を別々に取り付けることなく壁に装置２００全体を取り付けられる。別の実施例では、図２Ｆによると、ポール２０５に注入機構２０４が取付けられ、基盤をボールベアリングシステムに置くことで、液体供給分配装置２００全体が高速回転し、４つすべての容器２００へのアクセスが可能となる。
【００６３】
液体は、体積が１、２、３、４、５又は６クオート（０．９５、１．８９、２．８４、３．７９、４．７３又は５．６８リットル）である注入機構２０４から供給分配することができる。注入機構２０４は、図２Ｅに示すように正確に注入できるようマルチチャンバタンクとしてもよい。注入機構２０４は、１、２、３クオート（０．９５、１．８９及び２．８４リットル）チャンバを含むことができる。壁２１５ａと２１５ｂにより、注入機構２０４のタンクを３つのチャンバ２１９ａ、２１９ｂ、２１９ｃ（例えば、１、２、３クオート（０．９５、１．８９、２．８４リットル）に分けることができる。ユーザがスイッチ２１６を押すと、１、２、３、４、５又は６クオート（０．９５、１．８９、２．８４、３．７９、４．７３又は５．６８リットル）の液体が供給分配されるが、液体は個別チャンバ又は組合せチャンバから供給分配されることになる。
【００６４】
別の実施例では、注入機構２０４を使うことなく液体貯蔵器を手動で満たすことができる。別の実施例では、ユーザは注入機構に組み込まれた用量をコントロールすることができる。ユーザは、液体貯蔵器を満タンにする、すなわち手動で液体貯蔵器を満たすことができるが、手動で満タンにできるよう液体貯蔵器を注入機構２０４に接続すべきである。これにより、二次汚染を防ぐことができる。
【００６５】
図２Ｇは、液体貯蔵器２０６の例を示す。液体貯蔵器２０６は、解放可能に注入機構２０４に係合するガスケット２２２付きの上部充填バルブ２２０を含むことができる。液体貯蔵器２０６は、浮遊状態で取り付けることができる（すなわち、壁又はポールに取り付けられる注入機構２０４に設置する）。
【００６６】
液体貯蔵器２０６は、少なくとも１のハンドル２２４から構成することができる。１実施例では、ハンドル２２４には肘型グリップを備えることができる。ハンドルにはバルブ解放トリガー２２６が設けられ、ユーザが液体貯蔵器２０６を使用してオイルをモーターに供給できるよう、注入機構２０４から液体貯蔵器２０６を解放できるようになっている。バルブ解放トリガー２２６もユーザが使用可能で、オイルを車に供給分配する。
【００６７】
ＩＩＩ．方法例
図３に示すように、液体供給分配装置１００を使用する液体供給分配方法３００がまた提供される。この方法は、容器１０２に開口端を設けるステップ３０２から構成することができる。液体が容器１０２内に供給される。この方法は、容器１０２に接続する注入機構１０４を設けるステップ３０４から構成することもできる。注入機構１０４は、所定量の液体を容器１０２から供給分配するよう構成することができる。更に、方法は、液体貯蔵器１０６を設けるステップ３０６からなる。液体貯蔵器１０６は注入機構１０４に解放可能に係合することができ、人間工学的見地から使用し易く形成される。方法は、所定量の液体を注入機構１０４から液体貯蔵器１０６に供給分配するステップ３０８と注入機構１０６から液体貯蔵器を取り除くステップ３１０とから構成することもできる。液体貯蔵器１０６はまた、ユーザが簡単に液体を液体貯蔵器１０６から供給分配することができるよう、人間工学的見地から分かり易く形成される。
【００６８】
この方法では、容器１００は第一コード機構１１０からなるものとでき、注入機構１０２は第二コード機構１１２からなり、液体貯蔵器１０４は第三コード機構１１４からなるものとできる。ユーザは、このコード特性（例えば、ラベル）を使用して、同じ種類の液体のみが容器、注入機構、及び液体貯蔵器に存在することを確かめるので、異なる種類のオイルによる二次汚染を防ぐことができる。
【００６９】
ＩＶ．結論
上記例は発明の理解を助けるものであって、発明の可能な限りすべての実施形態、適用又は変形の包括的リストであるという意味ではない。したがって、発明の範囲及び趣旨から逸脱することなく、記載される発明の方法及び装置の様々な変形例が、当業者に明らかとなるであろう。本発明は、特定の実施形態と関連して記載されてはいるけれども、理解すべきは、クレームされる発明はこのような特定の実施例に不当に限定されるべきでないということである。実際、発明を実行するために記載される様式の様々な変形例は、当業者には明白である。
【００７０】
本発明は、ここに記載される特定の方法論やプロトコル等に限定されるものではないと理解される。当業者が理解するように、これらは変化するものだからである。また、ここで使用される用語は特定の実施形態を説明する目的のためにのみ使用されるものであって、発明の範囲を限定する意図はないと理解すべきである。また、ここで使用され添付のクレームにある、単数形の“ａ”、“ａｎ”、及び“ｔｈｅ”は、前後関係から明らかでない限り複数形も含むものとする。このように、例えば、“ａ  ｆｉｘｔｕｒｅ”という表記は、１又はそれ以上の“定着物”を示し、当業者にはこれと同義と理解される。
【００７１】
例外が特筆されない限り、ここで使用されるすべての技術的及び科学用語は、本発明が属する技術分野の当業者に一般的に理解されるものと同じ意味を持つ。発明の実施形態、及びそれらの様々な特徴及び利点の詳細は、限定しない実施形態及び／又は添付図面と詳細な説明を参照することでより具体的に説明される。図面に記載される特徴は正確な縮尺率である必要はなく、一実施例の特徴は、たとえ明確に述べられてなくとも、他の実施例とともに当業者が理解するものであることは当然に留意すべきである。
【００７２】
本明細書中に記載される任意の数値は、低い値と高い値との間に少なくとも２単位のひらきがあれば、低い値から高い値まで１単位ずつ大きくなる値をすべて含む。例えば、大きさ、角度、圧力、時間などの成分の量又はプロセス変量の値が１〜９０、特に２０〜８０、さらに具体的に３０〜７０であると述べられた場合、本明細書中には１５〜８５、２２〜６８、４３〜５１、３０〜３２などの値が明記されたものと想定されている。１より小さい値については、１単位は場合に応じて０．０００１、０．００１、０．０１または０．１であると考えられる。これらは明確に意図しているものの例示に過ぎず、記載された最低値と最高値の間の数値の可能な組合せはすべて、本願において同様に明記されていると考えるべきである。
【００７３】
本明細書中に記載されるものと同様又は同等のいずれの方法及び材料を本発明の実践又は実験で使用することができるが、特定の方法、装置及び材料が開示される。上記で引用されるすべての文献及び公開の開示は、それぞれを個別に参照して援用するのと同程度に、参照によってその全体が明確に組み込まれる。
【図１Ａ】
2019519444.tif 000003
【図１Ｂ】
2019519444.tif 000004
【図１Ｃ】
2019519444.tif 000005
【図２Ａ】
2019519444.tif 000006
【図２Ｂ】
2019519444.tif 000007
【図２Ｃ】
2019519444.tif 000008
【図２Ｄ】
2019519444.tif 000009
【図２Ｅ】
2019519444.tif 000010
【図２Ｆ】
2019519444.tif 000011
【図２Ｇ】
2019519444.tif 000012
【図３】
2019519444.tif 000013
【国際調査報告】
2019519444.tif 000014
2019519444.tif 000015